(57)【特許請求の範囲】
【請求項１】
コンピュータに、
ユーザのクレジットカードに係る決済情報を取得し、
前記決済情報が示すクレジットカードの加盟店の情報、又はユーザが購入した商品若しくはサービスの情報に基づくＷｅｂ検索を行い、前記加盟店、商品又はサービスと関連した関連情報を収集し、
前記決済情報及び関連情報と、ユーザからコメントの入力を受け付けるための入力欄とを表示部に表示し、
前記入力欄への前記コメントの入力を受け付け、
ソーシャルネットワークに投稿する投稿情報であって、前記決済情報に、前記関連情報及びコメントを追加した前記投稿情報を生成し、
生成した前記投稿情報を投稿する旨の入力をユーザから受け付けた場合、前記投稿情報をソーシャルネットワーク上に出力する
処理を実行させることを特徴とするプログラム。
【請求項２】
ユーザの決済情報と類似性を有する決済情報に係る他のユーザを検索する処理を、前記決済情報を記憶した情報処理装置に要求し、
前記情報処理装置から検索結果を取得する
ことを特徴とする請求項１に記載のプログラム。
【請求項３】
前記決済情報又は関連情報は、クレジットカードを利用した加盟店の位置情報を含み、
該位置情報に基づき、前記加盟店の位置を示す地図画像を表示部に表示する
ことを特徴とする請求項１又は請求項２に記載のプログラム。
【請求項４】
前記決済情報に係る商品又はサービスと類似する商品又はサービスを提供するクレジットカードの加盟店の広告情報を、前記決済情報と共に取得し、
前記広告情報及び投稿情報をソーシャルネットワーク上に出力する
ことを特徴とする請求項１〜請求項３のいずれか１項に記載のプログラム。
【請求項５】
コンピュータを用いた情報処理方法であって、
ユーザのクレジットカードに係る決済情報を取得し、
前記決済情報が示すクレジットカードの加盟店の情報、又はユーザが購入した商品若しくはサービスの情報に基づくＷｅｂ検索を行い、前記加盟店、商品又はサービスと関連した関連情報を収集し、
前記決済情報及び関連情報と、ユーザからコメントの入力を受け付けるための入力欄とを表示部に表示し、
前記入力欄への前記コメントの入力を受け付け、
ソーシャルネットワークに投稿する投稿情報であって、前記決済情報に、前記関連情報及びコメントを追加した前記投稿情報を生成し、
生成した前記投稿情報を投稿する旨の入力をユーザから受け付けた場合、前記投稿情報をソーシャルネットワーク上に出力する
処理を前記コンピュータに実行させることを特徴とする情報処理方法。
【請求項６】
ユーザのクレジットカードに係る決済情報を記憶する記憶部と、
ユーザの情報処理端末からの要求に応じて、前記決済情報が示すクレジットカードの加盟店の情報、又はユーザが購入した商品若しくはサービスの情報に基づくＷｅｂ検索を行い、前記加盟店、商品又はサービスと関連した関連情報を収集する収集部と、
前記決済情報及び関連情報と、ユーザからコメントの入力を受け付けるための入力欄とを含む画面を前記情報処理端末に出力する出力部と、
前記入力欄への前記コメントの入力を受け付ける受付部と、
ソーシャルネットワークに投稿する投稿情報であって、前記決済情報に、前記関連情報及びコメントを追加した前記投稿情報を生成する生成部と、
該生成部が生成した前記投稿情報を前記情報処理端末に送信する送信部と
を備えることを特徴とする情報処理装置。
【発明の詳細な説明】
【技術分野】
【０００１】
本発明は、プログラム、情報処理方法及び情報処理装置に関する。
【背景技術】
【０００２】
複数のユーザがネットワーク上のコミュニティーにおいて交流を行うＳＮＳ（Social Networking Service）が発達している。ＳＮＳの発達に伴い、ＳＮＳを利用した様々な技術が開発されている。
【０００３】
特許文献１では、ＳＮＳを介してユーザの購買活動を促進可能な購買行動促進装置等が開示されている。特許文献１によれば、購買行動促進装置はユーザと特定の関係がある他のユーザがＳＮＳに投稿した商品又はサービスに関する投稿情報を、当該商品又はサービスを購入した店舗等の位置情報と対応付けて記憶し、当該投稿情報及び位置情報をユーザが所持するスマートフォン等の端末装置に送信する。ユーザの端末装置は、地図画像上に店舗等の位置を表示すると共に、他のユーザが投稿した投稿情報を併せて表示する。
【先行技術文献】
【特許文献】
【０００４】
【特許文献１】特開２０１４−１４２８３７号公報
【発明の概要】
【発明が解決しようとする課題】
【０００５】
しかしながら、特許文献１ではＳＮＳへの投稿情報を地図画像にリンクさせて表示するのみで、ユーザの購買活動に係る情報をＳＮＳにおけるユーザ同士のコミュニケーションに利用していない。
【０００６】
本発明は斯かる事情によりなされたものであって、その目的とするところは、クレジットカードの決済情報をＳＮＳでのコミュニケーションツールとして利用可能なプログラム、情報処理方法及び情報処理装置を提供することにある。
【課題を解決するための手段】
【０００７】
本発明に係るプログラムは、コンピュータに、ユーザのクレジットカードに係る決済情報を取得し、前記決済情報が示すクレジットカードの加盟店の情報、又はユーザが購入した商品若しくはサービスの情報に基づくＷｅｂ検索を行い、前記加盟店、商品又はサービスと関連した関連情報を収集し、前記決済情報及び関連情報と、ユーザからコメントの入力を受け付けるための入力欄とを表示部に表示し、前記入力欄への前記コメントの入力を受け付け、ソーシャルネットワークに投稿する投稿情報であって、前記決済情報に、前記関連情報及びコメントを追加した前記投稿情報を生成し、生成した前記投稿情報を投稿する旨の入力をユーザから受け付けた場合、前記投稿情報をソーシャルネットワーク上に出力する処理を実行させることを特徴とする。
【００１０】
本発明に係るプログラムは、ユーザの決済情報と類似性を有する決済情報に係る他のユーザを検索する処理を、前記決済情報を記憶した情報処理装置に要求し、前記情報処理装置から検索結果を取得することを特徴とする。
【００１１】
本発明に係るプログラムは、前記決済情報又は関連情報は、クレジットカードを利用した加盟店の位置情報を含み、該位置情報に基づき、前記加盟店の位置を示す地図画像を表示部に表示することを特徴とする。
【００１２】
本発明に係るプログラムは、前記決済情報に係る商品又はサービスと類似する商品又はサービスを提供するクレジットカードの加盟店の広告情報を、前記決済情報と共に取得し、前記広告情報及び投稿情報をソーシャルネットワーク上に出力することを特徴とする。
【００１３】
本発明に係る情報処理方法は、コンピュータを用いた情報処理方法であって、ユーザのクレジットカードに係る決済情報を取得し、前記決済情報が示すクレジットカードの加盟店の情報、又はユーザが購入した商品若しくはサービスの情報に基づくＷｅｂ検索を行い、前記加盟店、商品又はサービスと関連した関連情報を収集し、前記決済情報及び関連情報と、ユーザからコメントの入力を受け付けるための入力欄とを表示部に表示し、前記入力欄への前記コメントの入力を受け付け、ソーシャルネットワークに投稿する投稿情報であって、前記決済情報に、前記関連情報及びコメントを追加した前記投稿情報を生成し、生成した前記投稿情報を投稿する旨の入力をユーザから受け付けた場合、前記投稿情報をソーシャルネットワーク上に出力する処理を前記コンピュータに実行させることを特徴とする。
【００１４】
本発明に係る情報処理装置は、ユーザのクレジットカードに係る決済情報を記憶する記憶部と、ユーザの情報処理端末からの要求に応じて、前記決済情報が示すクレジットカードの加盟店の情報、又はユーザが購入した商品若しくはサービスの情報に基づくＷｅｂ検索を行い、前記加盟店、商品又はサービスと関連した関連情報を収集する収集部と、前記決済情報及び関連情報と、ユーザからコメントの入力を受け付けるための入力欄とを含む画面を前記情報処理端末に出力する出力部と、前記入力欄への前記コメントの入力を受け付ける受付部と、ソーシャルネットワークに投稿する投稿情報であって、前記決済情報に、前記関連情報及びコメントを追加した前記投稿情報を生成する生成部と、該生成部が生成した前記投稿情報を前記情報処理端末に送信する送信部とを備えることを特徴とする。
【発明の効果】
【００１５】
本発明によれば、クレジットカードの決済情報をＳＮＳでのコミュニケーションツールとして利用可能となる。
【図面の簡単な説明】
【００１６】
【図１】情報処理システムの構成例を示す模式図である。
【図２】決済ＤＢのレコードレイアウトの一例を示す説明図である。
【図３】選択画面の一例を示す説明図である。
【図４】投稿画面の一例を示す説明図である。
【図５】ＳＮＳ画面の一例を示す説明図である。
【図６】端末の処理手順の一例を示すフローチャートである。
【図７】実施の形態２に係る選択画面の一例を示す説明図である。
【図８】実施の形態２に係る検索画面の一例を示す説明図である。
【図９】実施の形態２に係る端末の処理手順の一例を示すフローチャートである。
【図１０】実施の形態３に係る投稿画面の一例を示す説明図である。
【図１１】実施の形態３に係る地図画面の一例を示す説明図である。
【図１２】実施の形態３に係る端末の処理手順の一例を示すフローチャートである。
【図１３】実施の形態４に係る情報処理システムの構成例を示す模式図である。
【図１４】実施の形態４に係る広告ＤＢのレコードレイアウトの一例を示す説明図である。
【図１５】実施の形態４に係るＳＮＳ画面の一例を示す説明図である。
【図１６】実施の形態４に係る端末の処理手順の一例を示すフローチャートである。
【図１７】実施の形態５に係るブラウザ画面の一例を示す説明図である。
【図１８】実施の形態５に係る情報処理システムの処理手順の一例を示すフローチャートである。
【発明を実施するための形態】
【００１７】
以下、本発明をその実施の形態を示す図面に基づいて詳述する。
（実施の形態１）
本実施の形態では、ユーザのクレジットカードに係る決済情報を利用してＳＮＳへの投稿を行う情報処理システムを一例に説明を行う。図１は、情報処理システムの構成例を示す模式図である。情報処理システムは、情報処理端末１、情報処理装置２及びＳＮＳサーバ３、３、３…を含む。各装置はネットワークＮを介して相互に通信接続されている。ネットワークＮは、例えばインターネットである。
【００１８】
情報処理端末１は、各ユーザが所持している情報処理端末である。情報処理端末１は例えば、スマートフォン、パーソナルコンピュータ等である。本実施の形態において情報処理端末１はスマートフォンであるものとし、以下では簡潔のため端末１と読み替える。端末１は、情報処理装置２からユーザのクレジットカードに係る決済情報をダウンロードする。また、端末１はダウンロードした決済情報に基づいてＳＮＳに投稿する投稿情報を生成し、ＳＮＳに投稿する処理を行う。本実施の形態に係る投稿情報は後述する投稿画面を含む概念であり、ユーザのクレジットカードの決済情報、及び該決済情報に関連する関連情報に基づいて生成される情報である。
【００１９】
情報処理装置２は、種々の情報を記憶すると共に、ネットワークＮを介した情報の送受信を行う情報処理装置である。情報処理装置２は、例えばサーバコンピュータ、パーソナルコンピュータ等である。本実施の形態において情報処理装置２はサーバコンピュータであるものとし、サーバ２と読み替える。サーバ２は、ユーザのクレジットカードに係る決済処理を行い、各ユーザの端末１にクレジットカードの決済情報を送信する。
【００２０】
ＳＮＳサーバ３は、ＳＮＳの管理、運営に係る情報処理を行うためのサーバ装置である。ＳＮＳサーバ３は、各ユーザから投稿されたコメント、画像等の投稿情報を記憶し、各ユーザの端末１に投稿情報を配信する。
【００２１】
端末１は、制御部１１、記憶部１２、通信部１３、表示部１４、入力部１５、撮像部１６を含む。
制御部１１は、ＣＰＵ（Central Processing Unit）又はＭＰＵ（Micro-Processing   Unit）等の演算処理装置を含む。制御部１１は、記憶部１２に記憶されたプログラムＰを読み出して実行することにより、端末１に係る種々の情報処理又は制御処理等を行う。
【００２２】
記憶部１２は、ＲＡＭ（Random Access Memory）、ＲＯＭ（Read Only Memory）等のメモリ素子を含む。記憶部１２は、制御部１１が本実施の形態に係る処理を実行するために必要なプログラムＰ又はデータ等を記憶している。また、記憶部１２は、制御部１１が演算処理を実行するために必要なデータ等を一時的に記憶する。なお、プログラムＰは予め端末１にインストールされたものであっても、ネットワークＮを介してインストールされたものであってもよい。また、記憶部１２は、サーバ２から送信されたクレジットカードの決済情報を記憶する。
【００２３】
通信部１３は、例えばアンテナ及び通信処理を実行するために必要な処理回路等を含む。より詳しくは、例えば携帯電話網等により通信を行う。
【００２４】
表示部１４は、例えば液晶ディスプレイ又は有機ＥＬ（Electro Luminescence）ディスプレイ等の画面を有し、制御部１１から与えられた画像を表示する。
【００２５】
入力部１５は例えば、表示部１４に設けられたタッチパネル又は押下式のボタン等である。入力部１５は、ユーザによる操作入力を受け付ける。入力部１５は、ユーザによりなされた操作内容を制御部１１に通知する。
【００２６】
撮像部１６は、例えばＣＣＤ（Charge Coupled Device）カメラ等を含み、画像の撮像を行う。撮像された画像は図示しない画像処理回路によって処理され、記憶部１２に記憶される。
【００２７】
なお、本実施の形態において端末１は上記の構成に限られず、例えば音声の入出力を行うマイク及びスピーカ等を含んでもよい。
【００２８】
サーバ２は、制御部２１、記憶部２２、通信部２３、大容量記憶装置２４を含む。
制御部２１は、ＣＰＵ又はＭＰＵ等の演算処理装置を含む。制御部２１は、記憶部２２に記憶されたプログラムを読み出して実行することにより、サーバ２に係る種々の情報処理又は制御処理等を行う。
【００２９】
記憶部２２は、例えばＲＡＭ、ＲＯＭ等のメモリ素子を含む。記憶部２２は、制御部２１が処理を実行するために必要なプログラム又はデータ等を記憶している。また、記憶部２２は、制御部２１が演算処理を実行するために必要なデータ等を一時的に記憶する。
【００３０】
通信部２３は、例えば通信に関する処理を行うための処理回路等を含み、ネットワークＮを介して端末１と情報の送受信を行う。
【００３１】
大容量記憶装置２４は、例えばハードディスク等を含む大容量の記憶装置である。大容量記憶装置２４は、決済ＤＢ２４１を記憶している。決済ＤＢ２４１は、各ユーザのクレジットカードに係る決済情報を記憶している。
なお、本実施の形態において記憶部２２及び大容量記憶装置２４は一体の記憶装置として構成されていてもよい。また、大容量記憶装置２４は複数の記憶装置により構成されていてもよい。また、大容量記憶装置２４はサーバ２に接続された外部記憶装置であってもよい。
【００３２】
なお、本実施の形態においてサーバ２は上記の構成に限られず、例えば操作入力を受け付ける入力部、サーバ２に係る情報を表示する表示部、可搬型記憶媒体に記憶された情報を読み取る読取部等を含んでもよい。
【００３３】
図２は、決済ＤＢ２４１のレコードレイアウトの一例を示す説明図である。決済ＤＢ２４１は、カード番号列、氏名列、口座番号列、利用日時列、加盟店列、位置列、商品列、属性列、支払予定列、支払金額列、ＳＮＳアカウント列を含む。カード番号列は、ユーザのクレジットカードの番号を記憶している。氏名列は、カード番号と対応付けて、ユーザの氏名を記憶している。口座番号列は、カード番号及び氏名と対応付けて、ユーザの銀行口座の口座番号を記憶している。利用日時列は、カード番号と対応付けて、ユーザがクレジットカードを利用した日時を記憶している。加盟店列は、利用日時と対応付けて、当該日時にクレジットカードを利用した加盟店の名称を記憶している。位置列は、加盟店と対応付けて、当該加盟店の位置情報を記憶している。商品列は、利用日時及び加盟店と対応付けて、ユーザが購入した商品又はサービスの名称を記憶している。なお、以下では簡潔のため、加盟店が提供する商品又はサービスを商品等と記す。属性列は、商品等と対応付けて、商品等の属性を記憶している。支払予定列は、利用日時、加盟店及び商品等と対応付けて、当該商品等の購入代金の支払予定日を記憶している。支払金額列は、支払予定日と対応付けて、予定されている支払代金の金額を記憶している。ＳＮＳアカウント列は、氏名と対応付けて、ＳＮＳに係るユーザのアカウント情報を記憶している。
【００３４】
図３は、選択画面４０の一例を示す説明図である。以下では情報処理システムが実行する処理の概要について説明する。なお、以下では説明の便宜のため、端末１の処理主体は制御部１１であるものとし、サーバ２の処理主体は制御部２１であるものとする。
制御部１１は、端末１のホーム画面においてプログラムＰを示す所定のアイコンへのタッチ入力を受け付けた場合にプログラムＰを起動し、本実施の形態に係る処理を実行する。端末１の制御部１１は、プログラムＰの起動時に未取得であるクレジットカードの決済情報をサーバ２から受信し、記憶部１２に記憶する。なお、制御部１１は、例えば定期的にサーバ２と通信を行い、決済情報を取得する構成としてもよい。制御部１１は、記憶部１２に記憶された決済情報を読み出し、図３に示す選択画面４０を表示する。選択画面４０は、ユーザのクレジットカードの決済情報４１、４１、４１…の一覧を示す画面である。決済情報４１は、例えばクレジットカードを利用した日付、利用した加盟店の名称、購入した商品等の名称、支払金額等を含む。
【００３５】
制御部１１は、選択画面４０で表示する決済情報４１へのタッチ入力を受け付ける。これにより、制御部１１は決済情報の選択を受け付ける。いずれかの決済情報４１へのタッチ入力を受け付けた場合、制御部１１は、選択された決済情報に関連する関連情報を、インターネットを介して収集する。具体的には、制御部１１は決済情報が示す加盟店の名称、位置情報、商品等の名称などに基づき、汎用の検索エンジンを利用して関連する画像、テキスト等を検索する。関連情報は、加盟店の画像、商品等の画像、加盟店への交通経路、加盟店の広告、ホームページ、紹介記事、利用日の天気等を含む。例えば制御部１１は、加盟店の名称、商品等の名称などをキーワードとして検索を行い、上位に挙がる画像、テキスト、ＵＲＬ情報等を抽出する。なお、画像が複数抽出された場合は、利用日に近い画像（例えば利用日が冬季である場合は、冬季における加盟店の画像）を抽出してもよい。また、例えば制御部１１は加盟店の位置情報に基づいて検索を行い、加盟店の最寄り駅、当該最寄り駅から加盟店への経路等を抽出する。
【００３６】
図４は、投稿画面５０の一例を示す説明図である。関連情報を収集した制御部１１は、決済情報及び関連情報に基づいて図４に示す投稿画面５０を生成し、表示部１４に表示する。投稿画面５０は、ＳＮＳに投稿する画像であり、例えばクレジットカードの利用日時、利用した加盟店の名称、位置情報、購入した商品等の名称、加盟店の画像、商品等の画像などを含む。
【００３７】
さらに投稿画面５０は、ユーザがコメントを入力するためのコメント入力欄５１と、画像を入力するための画像入力欄５２とを含む。コメント入力欄５１は、ユーザのコメントに係るテキスト入力を受け付けるための入力欄である。制御部１１は、コメント入力欄５１への操作入力に基づき、ユーザによるコメントの入力を受け付ける。
画像入力欄５２は、ユーザによる画像の入力を受け付けるための入力欄である。例えば制御部１１は、画像入力欄５２へのタッチ入力を受け付けた場合に、記憶部１２を参照し、例えば撮像部１６により撮像された画像の入力を受け付ける。なお、画像入力欄５２に入力される画像は撮像部１６により撮像された画像でなくともよい。
【００３８】
なお、制御部１１は、コメント入力欄５１に入力されたコメントに基づいて関連情報を収集してもよい。例えば制御部１１は、コメント入力欄５１に「加盟店の画像は」との入力を受け付けた場合、決済情報に関連する「加盟店の画像」を収集し、表示する。また、例えば制御部１１は、コメント入力欄５１に「加盟店への交通経路は」との入力を受け付けた場合、決済情報に関連する「加盟店への交通経路」を収集し、表示する。
【００３９】
制御部１１は投稿画面５０の上部に、各種ＳＮＳを示す投稿アイコン５３を表示する。投稿アイコン５３は、表示中の投稿画面５０をＳＮＳに投稿するためのアイコンであり、例えばツイッター（登録商標）、フェイスブック（登録商標）、ＬＩＮＥ（登録商標）等を示す。投稿アイコン５３への操作入力を受け付けた場合、制御部１１は表示中の投稿画面５０をソーシャルネットワーク上に出力する。詳しくは、制御部１１は生成した投稿画面５０を内容とする投稿情報を、上記ＳＮＳを管理するＳＮＳサーバ３に送信する。
【００４０】
図５は、ＳＮＳ画面６０の一例を示す説明図である。端末１が投稿画面５０を投稿した場合、図５に示すように、投稿画面５０がＳＮＳに係るコミュニティー上に出力される。これにより、ＳＮＳを閲覧する閲覧者は、投稿者であるユーザの決済情報だけでなく、加盟店に関連する関連情報、商品等を購入したユーザによるコメント等を参照してコミュニケーションを取ることができる。
【００４１】
図６は、端末１の処理手順の一例を示すフローチャートである。図６に基づいて、端末１が実行する処理内容について説明する。
端末１のホーム画面において所定の操作入力を受け付けた場合に、端末１の制御部１１はプログラムＰを起動し、以下の処理を実行する。制御部１１は、未取得であるクレジットカードの決済情報をサーバ２から受信し、記憶部１２に記憶する（ステップＳ１１）。制御部１１は、決済情報の選択を受け付ける選択画面４０を表示する（ステップＳ１２）。制御部１１は、当該選択画面４０へのタッチ入力に基づき、決済情報の選択を受け付ける（ステップＳ１３）。制御部１１は、選択された決済情報を記憶部１２から読み出し、当該決済情報と関連する関連情報を、インターネットを介して収集する（ステップＳ１４）。具体的には、制御部１１は決済情報が示す加盟店の名称、位置情報、商品等の名称などに基づき、インターネットを介して提供される汎用の検索エンジンに対し、関連する画像、テキスト等の検索処理を要求する。制御部１１は、当該検索エンジンにより検索された関連情報を取得する。関連情報は、加盟店の画像、商品等の画像、加盟店への交通経路、加盟店の広告、ホームページ、紹介記事等を含む。制御部１１は、取得した当該関連情報のうち、検索エンジンにおいて上位に挙げられた画像、テキスト、ＵＲＬ情報等の関連情報を抽出する。また、例えば制御部１１は加盟店の最寄り駅、当該最寄り駅から加盟店への経路等の関連情報を抽出する。
【００４２】
制御部１１は、記憶部１２から読み出した決済情報、及び収集した関連情報に基づき、ＳＮＳに投稿する投稿画面５０を生成して表示部１４に表示する（ステップＳ１５）。投稿画面５０は、例えばクレジットカードの利用日時、利用した加盟店の名称、位置情報、購入した商品等の名称、加盟店の画像、商品等の画像、加盟店の広告、紹介記事等を含む。さらに投稿画面５０は、ユーザによるコメントの入力を受け付けるためのコメント入力欄５１、及び画像の入力を受け付けるための画像入力欄５２を含む。
【００４３】
制御部１１は、コメント入力欄５１に対するコメントの入力を受け付ける（ステップＳ１６）。制御部１１は、画像入力欄５２に対する画像の入力を受け付ける（ステップＳ１７）。制御部１１は、表示中の投稿画面５０をＳＮＳに投稿するか否かを判定する（ステップＳ１８）。例えば制御部１１は、各種ＳＮＳを示す投稿アイコン５３へのタッチ入力を受け付けたか否かにより判定を行う。
【００４４】
投稿しないと判定した場合（Ｓ１８：ＮＯ）、制御部１１は処理をステップＳ１６に戻す。投稿すると判定した場合（Ｓ１８：ＹＥＳ）、制御部１１は、ステップＳ１５で生成した投稿画面５０を内容とする情報を所定のＳＮＳサーバ３に送信し、当該投稿画面５０をソーシャルネットワーク上に出力する（ステップＳ１９）。制御部１１は一連の処理を終了する。
【００４５】
なお、図４において端末１はソーシャルネットワーク上に出力する最終的な投稿画面５０そのものを表示することとしたが、本実施の形態はこれに限るものではなく、コメント、画像等の入力を受け付ける段階で表示する画面はより簡易的な内容であってもよい。また、各種ＳＮＳで出力される情報は、図４で示した投稿画面５０に限定されるものではなく、各種ＳＮＳの仕様に応じてカスタマイズされる構成であってもよい。つまり端末１は、決済情報及び関連情報に基づいて投稿情報を生成可能であればよい。
【００４６】
また、上記において端末１は、投稿アイコン５３（図４参照）へのタッチ入力を受け付けた場合に投稿画面５０をソーシャルネットワーク上に出力することとしたが、本実施の形態はこれに限るものではない。例えば端末１は、本実施の形態に係るプログラムＰに基づき実行する処理において、決済情報及び関連情報に基づき投稿画面５０を生成するまでに処理を留める。そして端末１は所定のＳＮＳに係るアプリケーションプログラムを実行し、ユーザの操作入力に従って、生成した投稿画面５０を当該アプリケーションに係る画面にコピーしてＳＮＳに投稿することとしてもよい。また、端末１は投稿画面５０に遷移するためのリンク情報をＳＮＳに投稿し、他のユーザの端末１はＳＮＳ画面６０に表示される当該リンク情報への操作入力を受け付けた場合に投稿画面５０へと遷移することとしてよい。つまり、本実施の形態に係るプログラムＰに基づき実行する一連の処理において、生成した投稿画面５０をソーシャルネットワーク上に出力する処理（ステップＳ１９）は必須の構成要素ではない。
【００４７】
また、上記で端末１はクレジットカードの決済情報をサーバ２から取得することとしたが、本実施の形態はこれに限るものではない。例えば端末１は、クレジットカードの加盟店に設置される所定のリーダ／ライタ装置と近距離無線通信を行い、決済情報を取得することとしてもよい。なお、この場合の通信方式はＮＦＣ（Near Field Communication）等の近距離無線通信に限定されず、Ｗｉ−Ｆｉ（登録商標）等の無線通信であってもよい。上記のように、端末１が決済情報を取得する取得先はサーバ２でなくともよい。つまり端末１は、クレジットカードに係る決済情報を外部から取得可能であればよい。
【００４８】
また、上記で端末１は投稿画面５０においてコメント入力欄５１を表示し、ユーザのコメント入力を受け付けることとしたが、本実施の形態はこれに限るものではない。例えばサーバ２は、クレジットカードに係る決済処理を完了した場合、決済処理が完了した旨の確認のメールを端末１に送信する。当該メールを受信した場合、端末１はユーザによる操作入力に従い、コメントを含む返信メールの送信を行う。当該返信メールを受信した場合、サーバ２は返信メールに含まれるコメントを、ユーザの決済情報と対応付けて決済ＤＢ２４１に記憶する。端末１は、決済情報と共に返信メールにおいて入力されたコメントを取得する。そして端末１は、投稿画面５０を表示する場合、空白のコメント入力欄５１ではなく、返信メールにおいてユーザが事前に入力しておいたコメントを併せて表示する。これにより、ユーザがクレジットカード利用後に入力しておいたコメントを流用することができる。
【００４９】
以上より、本実施の形態１によれば、ユーザはクレジットカードの決済情報をＳＮＳでのコミュニケーションツールとして利用可能となる。
【００５０】
また、本実施の形態１によれば、投稿アイコン５３へのタッチ入力をトリガとしてＳＮＳへの投稿が可能になる。
【００５１】
また、本実施の形態１によれば、ユーザは投稿画面にコメント及び画像を付加することにより、例えばクレジットカードを利用した加盟店に関するレビュー、レコメンド、ユーザが撮像した商品等の画像などをＳＮＳに投稿することができる。
【００５２】
（実施の形態２）
実施の形態２では、一のユーザの決済情報と類似する決済情報を有する他のユーザを検索する形態について述べる。なお、実施の形態１と重複する内容については同一の符号を付して説明を省略する。
【００５３】
図７は、実施の形態２に係る選択画面４０の一例を示す説明図である。本実施の形態に係る選択画面４０は、決済情報４１の一部に検索アイコン２０１を含む。検索アイコン２０１は、当該決済情報４１と類似性を有する決済情報に係る他のユーザを検索する処理をサーバ２に要求するためのアイコンである。選択画面４０において検索アイコン２０１へのタッチ入力を受け付けた場合、端末１の制御部１１は、ユーザの決済情報と類似性を有する決済情報に係る他のユーザを検索する処理をサーバ２に要求する。
なお、例えば制御部１１は検索アイコン２０１へのタッチ入力を受け付けた場合に、図７に示すように、後述する検索結果を出力する出力先であるＳＮＳを選択する所定のオブジェクトを選択画面４０の下部に表示する。
【００５４】
当該検索要求を受信した場合に、サーバ２の制御部２１は類似性を有する決済情報に係る他のユーザを検索する処理を実行する。決済情報の類似性は、例えば決済ＤＢ２４１に記憶されている商品等の名称、商品等の属性、支払金額、加盟店の位置情報等を比較することで判断する。制御部２１は検索処理を実行し、類似する決済情報に係る他のユーザの氏名、アカウント情報等を取得する。制御部２１は、取得した他のユーザの氏名、アカウント情報等を含む検索結果を端末１に送信する。
【００５５】
図８は、実施の形態２に係る検索画面２７０の一例を示す説明図である。端末１の制御部１１は、サーバ２から検索結果を受信する。図８に示すように、制御部１１は受信した検索結果をソーシャルネットワーク上に出力する。
【００５６】
図９は、実施の形態２に係る端末１の処理手順の一例を示すフローチャートである。図９に基づいて、本実施の形態に係る端末１が実行する処理手内容について説明する。
クレジットカードの決済情報をサーバ２から受信した後で（ステップＳ１１）、端末１の制御部１１は以下の処理を実行する。制御部１１はサーバ２に他のユーザの検索処理を要求するための検索アイコン２０１を含む選択画面４０を表示する（ステップＳ２０１）。検索アイコン２０１は、選択画面４０に係る各決済情報４１、４１、４１…と対応付けられている。制御部１１は、サーバ２に他のユーザの検索処理を要求する否かを判定する（ステップＳ２０２）。具体的には、制御部１１は検索アイコン２０１へのタッチ入力を受け付けたか否かにより判定を行う。検索要求をしないと判定した場合（Ｓ２０２：ＮＯ）、制御部１１は処理をステップＳ１３に移行する。
【００５７】
検索要求をすると判定した場合（Ｓ２０２：ＹＥＳ）、制御部１１は、ユーザの決済情報と類似性を有する決済情報に係る他のユーザを検索する処理を、決済情報を決済ＤＢ２４１に記憶したサーバ２に要求する（ステップＳ２０３）。具体的には、制御部１１はユーザの決済情報に係る商品等の名称、商品等の属性、支払金額、加盟店の位置情報等と類似性を有する決済情報に係る他のユーザを検索する処理をサーバ２に要求する。制御部１１は、ステップＳ２０３の検索要求に対する検索結果をサーバ２から受信する（ステップＳ２０４）。制御部１１はステップＳ２０４で受信した検索結果をソーシャルネットワーク上に出力する（ステップＳ２０５）。これにより、図８で例示したごとく、ユーザの決済情報と類似性を有する他のユーザがＳＮＳ上で出力される。
【００５８】
なお、上記において端末１は選択画面４０に検索アイコン２０１を表示し、該検索アイコン２０１へのタッチ入力を受け付けた場合に検索要求をサーバ２に送信することとしたが、本実施の形態はこれに限るものではない。例えば端末１は検索アイコン２０１を、投稿アイコン５３等と共に投稿画面５０に表示する構成としてもよい。
【００５９】
また、上記において端末１は検索結果をソーシャルネットワーク上に出力することとしたが、本実施の形態はこれに限るものではない。例えば端末１は、本実施の形態のプログラムＰに係るアプリケーション内で、図８で例示した検索結果を表示することとしてもよい。
【００６０】
以上より、本実施の形態２によれば、ユーザと趣味、嗜好が似た購買履歴を持つ他のユーザを検索可能となり、ユーザ同士の交友関係を拡張することが期待できる。
【００６１】
（実施の形態３）
本実施の形態では端末１が、クレジットカードで決済した加盟店の位置を地図表示する形態について述べる。なお、実施の形態１と重複する内容については同一の符号を付して説明を省略する。
【００６２】
図１０は、実施の形態３に係る投稿画面５０の一例を示す説明図である。選択画面４０において決済情報が選択された場合に、端末１の制御部１１は図１０に示す投稿画面５０を表示する。本実施の形態に係る投稿画面５０の上部には、投稿アイコン５３のほかに、地図アイコン３５４が表示される。地図アイコン３５４は、加盟店の位置を示す地図画面を表示するためのオブジェクトである。
【００６３】
図１１は、実施の形態３に係る地図画面３８０の一例を示す説明図である。地図アイコン３５４へのタッチ入力を受け付けた場合、制御部１１は図１１に示す地図画面３８０を表示部１４に表示する。地図画面３８０を表示する場合に、制御部１１は決済情報又は関連情報に含まれる加盟店の位置情報を参照し、図１１に示すように、加盟店の位置を地図上に表示する。これによりユーザは、クレジットカードを利用した加盟店の位置を確認することができる。
【００６４】
なお、加盟店の位置情報は、サーバ２の決済ＤＢ２４１に記憶されている位置情報を決済情報として端末１が取得する構成としてもよいし、端末１がインターネットを介して、関連情報として収集する構成としてもよい。
また、制御部１１は所定の地図アプリケーションプログラムによって地図画面３８０を表示することにしてもよいし、本実施の形態に係るプログラムＰによって地図画面３８０を表示することにしてもよい。
【００６５】
図１２は、実施の形態３に係る端末１の処理手順の一例を示すフローチャートである。図１２に基づいて、本実施の形態に係る端末１が実行する処理内容について説明する。
投稿画面５０を投稿しないと判定した場合（Ｓ１８：ＮＯ）、制御部１１は以下の処理を実行する。制御部１１は、加盟店の位置を示す地図画面３８０を表示するか否かを判定する（ステップＳ３０１）。地図画面３８０を表示しないと判定した場合（Ｓ３０１：ＮＯ）、制御部１１は処理をステップＳ１６に戻す。地図画面３８０を表示すると判定した場合（Ｓ３０１：ＹＥＳ）、制御部１１は決済情報又は関連情報に含まれる加盟店の位置情報に基づき、加盟店の位置を示す地図画面３８０を表示する（ステップＳ３０２）。制御部１１は一連の処理を終了する。
【００６６】
なお、上記において端末１は地図画面３８０を投稿画面５０とは別に表示することとしたが、例えば端末１は加盟店の位置を、投稿画面５０の一部に埋め込む地図画像により示すこととしてもよい。つまり端末１は、決済情報又は関連情報に含まれる加盟店の位置を地図画像として表示する形態であればよい。
【００６７】
以上より、本実施の形態３によれば、端末１は決済情報又は関連情報に含まれる加盟店の位置を示す地図画像を表示する。これにより、例えば加盟店においてクレジットカードを利用してから日が経つとユーザは加盟店の位置を忘れがちになるが、当該処理によりユーザは簡便に加盟店の位置を再確認することができる。
【００６８】
（実施の形態４）
本実施の形態では、決済情報に係る商品又はサービスと類似する商品又はサービスを提供する加盟店の広告情報をソーシャルネットワーク上に出力する形態について述べる。なお、実施の形態１と重複する内容については同一の符号を付して説明を省略する。
【００６９】
図１３は、実施の形態４に係る情報処理システムの構成例を示す模式図である。本実施の形態に係るサーバ２の大容量記憶装置２４は、決済ＤＢ２４１のほかに、広告ＤＢ２４２を記憶している。広告ＤＢ２４２は、クレジットカードの加盟店の広告情報を記憶している。
【００７０】
図１４は、実施の形態４に係る広告ＤＢ２４２のレコードレイアウトの一例を示す説明図である。広告ＤＢ２４２は、加盟店列、属性列、位置列、広告列、リンク列を含む。加盟店列は、クレジットカードの加盟店の名称を記憶している。属性列は、加盟店と対応付けて、当該加盟店が提供する商品等の属性を記憶している。位置列は、加盟店と対応付けて、加盟店の位置情報を記憶している。広告列は、加盟店と対応付けて、例えばバナー広告として表示する画像を記憶している。リンク列は、加盟店と対応付けて、ハイパーリンクに係るＵＲＬ情報を記憶している。
【００７１】
本実施の形態においてサーバ２の制御部２１は、端末１に決済情報を送信する場合に、併せて当該決済情報に係る商品等と類似する商品等を提供する加盟店の広告情報を端末１に送信する。広告情報は、例えば加盟店の名称、位置情報、加盟店を示すバナー広告に係る画像、インターネット上で加盟店のホームページに遷移するためのＵＲＬ情報等を含む。例えば制御部２１は、端末１に送信する決済情報に含まれる商品等に基づき、広告ＤＢ２４２を参照し、属性が同一又は類似する商品等を提供する加盟店の広告情報を取得する。なお、例えば制御部２１は商品等の属性だけでなく、加盟店の位置情報等を含めて類似性を判断することとしてもよい。制御部２１は決済情報と共に、取得した広告情報を端末１に送信する。
【００７２】
図１５は、実施の形態４に係るＳＮＳ画面６０の一例を示す説明図である。端末１の制御部１１は、決済情報と共に広告情報を受信する。投稿画面５０をソーシャルネットワーク上に出力する場合に、図１５に示すように、制御部１１は広告情報４６１を併せてソーシャルネットワーク上に出力する。これにより、他の加盟店に係る広告をＳＮＳ上に掲載可能となる。
【００７３】
図１６は、実施の形態４に係る端末１の処理手順の一例を示すフローチャートである。図１６に基づいて、本実施の形態に係る端末１が実行する処理内容について説明する。
端末１の制御部１１は、決済情報に係る商品又はサービスと類似する商品又はサービスを提供するクレジットカードの加盟店の広告情報を、決済情報と共に受信する（ステップＳ４０１）。具体的には、サーバ２の制御部２１は端末１に決済情報を送信する場合に、広告ＤＢ２４２を参照し、当該決済情報に係る商品又はサービスと属性が同一又は類似する商品又はサービスを提供する加盟店の広告情報を取得する。広告情報は、例えば加盟店の名称、位置情報、バナー広告に係る画像、ＵＲＬ情報等を含む。制御部２１は、当該広告情報を決済情報と共に端末１に送信する。端末１の制御部１１は、決済情報と併せて広告情報を受信する。
【００７４】
投稿画面５０を投稿すると判定した場合（Ｓ１８：ＹＥＳ）、制御部１１は、ステップＳ４０１で受信した広告情報４６１、及びステップＳ１５で生成した投稿画面５０をソーシャルネットワーク上に出力する（ステップＳ４０２）。これにより、ＳＮＳ上にはユーザから投稿された投稿画面５０だけでなく、類似する商品又はサービスを提供する加盟店の広告情報４６１が出力される。
【００７５】
なお、広告情報に係るリンク先は加盟店のホームページに限定されるものではなく、例えば加盟店を紹介する所定のウェブサイト、加盟店の商品等を扱うオンラインストア等であってもよい。
【００７６】
以上より、本実施の形態４によれば、クレジットカードの決済情報を活用して、類似する商品又はサービスを提供する加盟店の広告をＳＮＳ上に掲載可能となる。
【００７７】
（実施の形態５）
実施の形態１では、決済情報に基づくＳＮＳへの投稿処理を、スマートフォンのアプリケーションにより行う形態について述べた。本実施の形態では、一連の処理をウェブブラウザ上で行う形態について述べる。なお、実施の形態１と重複する内容については同一の符号を付して説明を省略する。
【００７８】
本実施の形態に係る端末１は、スマートフォンではなく、パーソナルコンピュータであるものとして説明する。本実施の形態に係る端末１は実施の形態１での説明と同様に、ＣＰＵ等を含む制御部１１、ＲＡＭ、ＲＯＭ等を含む記憶部１２、ネットワークＮを介して通信を行う通信部１３、所定のディスプレイ等を含む表示部１４、ユーザによる操作入力を受け付ける入力部１５等を含む。なお、端末１を含む情報処理システムのハードウェア構成に係る詳細な図示及び説明は省略する。
【００７９】
図１７は、実施の形態５に係るブラウザ画面の一例を示す説明図である。本実施の形態に係る端末１は、ウェブブラウザにおいて選択画面４０、投稿画面５０、及びＳＮＳ画面６０を表示する。図１７Ａは選択画面４０を、図１７Ｂは投稿画面５０を、図１７ＣはＳＮＳ画面６０を示している。なお、各画面に係る内容は図３〜図５で示した内容とほぼ同様であるため、同一の符号を付して説明を省略する。
【００８０】
本実施の形態に係る情報処理システムは、実施の形態１と同様の処理を、ウェブブラウザ上で実行する。具体的には、端末１の制御部１１はプログラムＰを起動した場合に、選択画面４０の送信をサーバ２に要求する。サーバ２の制御部２１は決済ＤＢ２４１を参照して選択画面４０を生成して端末１に送信する。端末１の制御部１１は選択画面４０を表示し、決済情報４１の選択を受け付ける。制御部１１は、受け付けた決済情報４１に係る投稿情報の送信をサーバ２に要求する。
【００８１】
投稿情報の送信要求を受けたサーバ２の制御部２１は、決済ＤＢ２４１を参照し、端末１で選択された決済情報を取得する。また、制御部２１は当該決済情報に関連する関連情報を、インターネットを介して収集する。制御部２１は、決済情報及び関連情報に基づき、投稿画面５０を生成する。制御部２１は、生成した投稿画面５０を含む情報を端末１に送信する。端末１の制御部１１は投稿画面５０をウェブブラウザにおいて表示し、コメント及び画像の入力を受け付け、ソーシャルネットワーク上に出力する処理を実行する。
【００８２】
図１８は、実施の形態５に係る情報処理システムの処理手順の一例を示すフローチャートである。図１８に基づいて、本実施の形態に係る情報処理システムが実行する処理内容について説明する。
端末１の制御部１１は、選択画面４０の送信をサーバ２に要求する（ステップＳ５０１）。サーバ２の制御部２１は、当該送信要求を受信する（ステップＳ５０２）。制御部２１は決済ＤＢ２４１を参照し、送信要求をした端末１に係るユーザの決済情報を選択するための選択画面４０を生成し、端末１に送信する（ステップＳ５０３）。
【００８３】
端末１の制御部１１は、選択画面４０に係る情報を受信する（ステップＳ５０４）。制御部１１は、選択画面４０をウェブブラウザ上に表示する（ステップＳ５０５）。制御部１１は選択画面４０への操作入力に基づき、決済情報の選択を受け付ける（ステップＳ５０６）。制御部１１は、選択された決済情報に基づく投稿情報の送信をサーバ２に要求する（ステップＳ５０７）。
【００８４】
サーバ２の制御部２１は、当該送信要求を受信する（ステップＳ５０８）。制御部２１は送信要求に係る選択内容を読み出し、決済ＤＢ２４１から決済情報を取得する（ステップＳ５０９）。制御部２１は取得した決済情報に関連する関連情報を、インターネットを介して収集する（ステップＳ５１０）。制御部２１は決済情報及び関連情報に基づいて投稿画面５０を生成し、該投稿画面５０に係る情報を端末１に送信する（ステップＳ５１１）。
【００８５】
端末１の制御部１１は、投稿画面５０に係る情報を受信する（ステップＳ５１２）。制御部１１は当該情報に基づき、投稿画面５０をウェブブラウザ上に表示する（ステップＳ５１３）。制御部１１は、コメント入力欄５１に対するコメントの入力を受け付ける（ステップＳ５１４）。制御部１１は、画像入力欄５２に対する画像の入力を受け付ける（ステップＳ５１５）。制御部１１は、表示中の投稿画面５０をＳＮＳに投稿するか否かを判定する（ステップＳ５１６）。例えば制御部１１は、各種ＳＮＳを示す投稿アイコン５３へのタッチ入力を受け付けたか否かにより判定を行う。
【００８６】
投稿しないと判定した場合（Ｓ５１６：ＮＯ）、制御部１１は処理をステップＳ５１４に戻す。投稿すると判定した場合（Ｓ５１６：ＹＥＳ）、制御部１１は、投稿画面５０をソーシャルネットワーク上に出力し（ステップＳ５１７）、一連の処理を終了する。
【００８７】
以上より、本実施の形態５によれば、ウェブブラウザ上で実施の形態１と同様の処理を実現することができる。
【００８８】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８９】
１  端末（情報処理端末）
１１  制御部
１２  記憶部
Ｐ  プログラム
１３  通信部
１４  表示部
１５  入力部
１６  撮像部
２  サーバ（情報処理装置）
２１  制御部
２２  記憶部
２３  通信部
２４  大容量記憶装置
２４１  決済ＤＢ
２４２  広告ＤＢ
３  ＳＮＳサーバ
４０  選択画面
４１  決済情報
２０１  検索アイコン
５０  投稿画面
５１  コメント入力欄
５２  画像入力欄
５３  投稿アイコン
３５４  地図アイコン
６０  ＳＮＳ画面
４６１  広告情報
２７０  検索画面
３８０  地図画面
【図１】
0006723030.tif 000002
【図２】
0006723030.tif 000003
【図３】
0006723030.tif 000004
【図４】
0006723030.tif 000005
【図５】
0006723030.tif 000006
【図６】
0006723030.tif 000007
【図７】
0006723030.tif 000008
【図８】
0006723030.tif 000009
【図９】
0006723030.tif 000010
【図１０】
0006723030.tif 000011
【図１１】
0006723030.tif 000012
【図１２】
0006723030.tif 000013
【図１３】
0006723030.tif 000014
【図１４】
0006723030.tif 000015
【図１５】
0006723030.tif 000016
【図１６】
0006723030.tif 000017
【図１７】
0006723030.tif 000018
【図１８】
0006723030.tif 000019